(57)【要約】【課題】  手動受信モードが誤って設定された場合であっても、画像データの自動受信を可能とし、また、予め電話番号を登録するという面倒な操作を不要とし、さらに、メモリに記憶させるデータ量を少なくし価格上昇を抑えることの可能なファクシミリ装置の提供する。【解決手段】手動受信モードを備えたファクシミリ装置であって、手動受信モードを設定する受信モード設定手段１５と、交換機３からの一回目の電話番号を受信する通信手段１１と、受信モード設定手段１５で手動受信モードが設定されている場合に、受信した一回目の電話番号を記憶する電話番号記憶手段１２と、通信手段１１により二回目の電話番号が受信されると、この二回目の電話番号と電話番号記憶手段１２に記憶された一回目の電話番号とを照合する電話番号照合手段１４と照合により二回目の電話番号と一回目の電話番号とが一致する場合に着呼する着呼応答手段１５とを備える。【選択図】  図４
2006121236.tif 000002
【特許請求の範囲】
【請求項１】
相手先との回線が接続された後、ユーザの操作により着呼する手動受信モードを備えたファクシミリ装置であって、
前記手動受信モードを設定する受信モード設定手段と、
交換機からの一回目の電話番号を受信する通信手段と、
前記受信モード設定手段で前記手動受信モードが設定されている場合に、受信した前記一回目の電話番号を記憶する電話番号記憶手段と、
前記通信手段により二回目の電話番号が受信されると、この二回目の電話番号と前記電話番号記憶手段に記憶された前記一回目の電話番号とを照合する電話番号照合手段と、
前記照合により前記二回目の電話番号と前記一回目の電話番号とが一致する場合に着呼する着呼応答手段と、
を備えることを特徴とするファクシミリ装置。
【請求項２】
前記電話番号記憶手段で前記一回目の電話番号が記憶された時から前記二回目の電話番号が受信された時までの時間を測定する経過時間判断手段を備え、
前記着呼応答手段が、前記照合により、前記二回目の電話番号と前記一回目の電話番号が一致し、かつ、前記経過時間判断手段で測定された時間が所定時間内の場合に着呼する請求項１記載のファクシミリ装置。
【請求項３】
前記電話番号記憶手段に記憶された前記電話番号を消去する電話番号消去手段を備えた請求項１又は２記載のファクシミリ装置。
【請求項４】
前記電話番号消去手段が、前記電話番号記憶手段に前記一回目の電話番号を記憶した時から、所定時間経過後に前記電話番号を消去する請求項３記載のファクシミリ装置。
【発明の詳細な説明】
【技術分野】
【０００１】
本発明は、自動受信モードと手動受信モードを備えたファクシミリ装置であって、誤って手動受信モードが設定されても、所定条件下で、自動受信モードが設定されたファクシミリ装置と同様に自動的に画像データを受信するファクシミリ装置に関する。
【背景技術】
【０００２】
ファクシミリ装置は、一般に、一つの回線にファクシミリ装置と電話機とを兼ね備えている。そして、画像データを受信する信号を受けた際に、自動的に画像データを受信して印刷を行う自動受信モードと、呼出ベルを発呼して先にユーザが電話機によって通話し、その後、ファクシミリ機能に切り替えて画像データの受信を行う手動受信モードとをともに備え、必要に応じて、この二つのモードを使い分けることができるファクシミリ装置が知られている。
【０００３】
この自動受信モードと手動受信モードを備えたファクシミリ装置において、手動受信モードが設定された場合、送信側ファクシミリ装置から受信側ファクシミリ装置へダイヤルすると、受信側ファクシミリ装置は交換機から呼出信号を受信し、受信側ファクシミリ装置は呼出ベルを発呼する。したがって、ユーザは呼出ベルの発呼を認識し、受信側ファクシミリ装置を操作することにより電話回線を接続し、送信側ファクシミリ装置から画像データを受信することができる。
【０００４】
ここで、ユーザが自動受信モードを設定しようとして、誤って手動受信モードを設定してしまった場合であって、その後ユーザが不在になったときには、受信側ファクシミリ装置の呼出ベルが発呼しても、ファクシミリ装置は操作されないため、画像データを受信することができない。
そこで、手動受信モードが設定されている場合であっても、所定時間経過後には自動設定モードに自動的に切り替わり、ユーザが不在であっても画像データの受信可能なファクシミリ装置が提供されている（例えば、特許文献１参照）。
また、受信側ファクシミリ装置のユーザが、電話通信会社の提供する発信電話番号受信機能（以下、「ナンバー・ディスプレイ機能」という。）を利用して、あらかじめ電話機とファクシミリ装置の電話番号を登録テーブルに登録しておき、呼出信号とともに登録した電話番号を受信した場合には、発信電話番号照合手段にもとづいて自動受信モードと手動受信モードを自動的に相互に切り替えることができるファクシミリ装置が提供されている（例えば、特許文献２参照）。
これらのファクシミリ装置が提供されたことにより、手動受信モードが誤って設定され、ユーザが不在でファクシミリ装置を操作できない状況にあっても、ファクシミリ装置が手動受信モードから自動受信モードに切り替わり、自動的に画像データを受信することができるようになった。
【０００５】
【特許文献１】特開平６−２１７０６５号公報（第１頁、第２図）
【特許文献２】特開平１０−７９８０６号公報（第１頁、第１図）
【発明の開示】
【発明が解決しようとする課題】
【０００６】
しかしながら、特許文献１に記載のファクシミリ装置は、手動受信モードを設定してから所定時間経過後に自動受信モードに自動的に切り替わることにより、手動受信モードを解除し、送信データを受信できるようにすることを特徴としているが、一度自動受信モードに切り替わってしまうと、再び、自動的に手動受信モードに戻せないという問題があった。
また、特許文献２に記載のファクシミリ装置は、ファクシミリ装置を特定する電話番号を複数登録しておかなければならないため、容量の大きいメモリが必要となる。したがって、ファクシミリ装置の価格が上昇するとともに、あらかじめ電話番号を登録しなければ、自動受信モードに切り替えられず、しかも多数の電話番号を登録するのに手間がかかるという問題があった。
【０００７】
本発明は、以上のような従来の技術が有する問題を解決するために提案されたものであり、手動受信モードが誤って設定された場合であっても、電話通信会社の提供するナンバー・ディスプレイ機能を利用することにより画像データの自動受信を可能とするとともに、ファクシミリ装置が自動的に受信した電話番号を記憶するため、あらかじめ電話番号を登録するという面倒な操作を不要とし、かつ、メモリに記憶させるデータ量を少なくしてファクシミリ装置の価格上昇を抑えることができるファクシミリ装置の提供を目的とする。
【課題を解決するための手段】
【０００８】
上記目的を達成するため、本発明のファクシミリ装置は、相手先との回線が接続された後、ユーザの操作により着呼する手動受信モードを備えたファクシミリ装置であって、前記手動受信モードを設定する受信モード設定手段と、交換機からの一回目の電話番号を受信する通信手段と、前記受信モード設定手段で前記手動受信モードが設定されている場合に、受信した前記一回目の電話番号を記憶する電話番号記憶手段と、前記通信手段により二回目の電話番号が受信されると、この二回目の電話番号と前記電話番号記憶手段に記憶された前記一回目の電話番号とを照合する電話番号照合手段と、前記照合により前記二回目の電話番号と前記一回目の電話番号とが一致する場合に着呼する着呼応答手段と、を備える構成としてある。
【０００９】
このような構成からなる本発明のファクシミリ装置によれば、電話通信会社の提供するナンバー・ディスプレイ機能を利用して、手動受信モードが設定されているファクシミリ装置が、送信側ファクシミリ装置から呼出信号とともに一回目に電話番号を受信した場合には、この電話番号を記憶し、二回目に電話番号を受信したときには、この二回目の電話番号と一回目の電話番号を照合し、一回目と二回目との電話番号が一致する場合には着呼することとしてある。これにより、受信側ファクシミリ装置でユーザが誤って手動受信モードを設定しても、送信側ファクシミリ装置と通信回線を接続して、自動的に送信側ファクシミリ装置から画像データを受信することができる。
また、一回目に電話番号を受信したときには、この電話番号を記憶することができることから、予め電話番号を登録するという面倒な操作から開放される。
さらに、本発明のファクシミリ装置は、送信側ファクシミリ装置からリダイヤルされたか否か判断するものであるため、記憶可能なメモリは電話番号の１つか、２つであってもよい。このため、小さいメモリ容量のメモリを備えれば足りることから、ファクシミリ装置の価格上昇を抑えることができる。
なお、本発明が実行されている間も手動受信モードが継続して設定されているため、自動受信モードに切り替わることはない。このため、画像データが受信された後において、別のファクシミリ装置から新たに電話番号を受信した場合には、当該ファクシミリ装置は、手動受信モードで動作する。この点で、特許文献１と相違する。
【００１０】
また、本発明のファクシミリ装置は、前記電話番号記憶手段に前記一回目の電話番号を記憶した時から前記二回目の電話番号を受信する時までの時間を測定する経過時間判断手段を備え、前記着呼応答手段が、前記照合により、前記二回目の電話番号と前記一回目の電話番号が一致し、かつ、前記経過時間判断手段により、所定時間以内に前記二回目の電話番号を受信する場合に着呼する構成としてある。
【００１１】
このような構成からなる本発明のファクシミリ装置によれば、電話通信会社の提供するナンバー・ディスプレイ機能を利用して、電話番号記憶手段に電話番号を記憶した時から所定時間内に再度、電話番号を受信する時までの時間、すなわち送信側ファクシミリ装置がリダイヤルする時間間隔を測定し、その時間間隔が所定時間以内の場合に着呼させることができる。これにより、本発明のファクシミリ装置が、受信側ファクシミリ装置からリダイヤルがあったと判断した場合に着呼させ、送信側ファクシミリ装置から画像データを受信することができる。
【００１２】
また、本発明のファクシミリ装置によれば、前記電話番号記憶手段に記憶された前記電話番号を消去する電話番号消去手段を備えた構成としてある。
このような構成からなるファクシミリ装置によれば、いったん記憶した電話番号を消去することができるため、電話番号を記憶するためのメモリ容量を大きくする必要がなくなる。これによりファクシミリ装置の価格上昇を抑えることができる。
【００１３】
また、本発明のファクシミリ装置によれば、前記電話番号記憶手段に前記一回目の電話番号を記憶した時から、前記電話番号消去手段が、所定時間経過後に電話番号を消去する構成としてある。
このような構成からなるファクシミリ装置によれば、所定時間経過後に、電話番号記憶手段により記憶した電話番号を消去できる。これにより、送信側ファクシミリ装置からリダイヤルがないときには、いったん記憶した送信側ファクシミリ装置の電話番号であっても自動的に消去できることから、電話番号を記憶するためのメモリ容量を大きくする必要がなくなるため、ファクシミリ装置の価格上昇を抑えることができる。
【発明の効果】
【００１４】
以上のように、本発明のファクシミリ装置によれば、手動受信モードが設定されている場合であっても、電話通信会社の提供するナンバー・ディスプレイ機能を利用することにより、一回目に受信した電話番号と二回目に受信した電話番号とが一致すると、これを同一の送信側ファクシミリ装置からのリダイヤルと判断し、自動的に画像データを受信する構成とした。このため、誤って手動受信モードが設定さらた場合にも、受信側ファクシミリ装置が送信側ファクシミリ装置のリダイヤルを確認することで、画像データの自動受信が可能になる。
また、一回目に受信した電話番号が自動的に電話番号記憶手段に記憶されるため、ユーザ自身があらかじめ電話番号を登録するという面倒な操作が不要となる。
さらに、電話番号の記憶数は一つか二つ程度で良く、しかも、記憶された電話番号は消去手段により適宜消去可能であるため、メモリ容量の大きな記憶手段を備える必要がなくなる。したがって、ファクシミリ装置の価格上昇を抑えることができる。
【発明を実施するための最良の形態】
【００１５】
以下、本発明のファクシミリ装置の好ましい実施形態について、図面を参照して説明する。
［第一実施形態］
まず、本発明のファクシミリ装置の第一実施形態について説明する。
図１は、送信側ファクシミリ装置と交換機と受信側ファクシミリ装置の接続状態を示すブロック図であり、図２は、本発明に係るファクシミリ装置の概略構成を示すブロック図である。
【００１６】
送信側ファクシミリ１と受信側ファクシミリ装置２は、図１に示すように、交換機３を介して通信可能な状態にある。本発明に係るファクシミリ装置は、受信側ファクシミリ装置２であるが、本発明に係るファクシミリ装置から画像データを他のファクシミリ装置に送信することもできる。
送信側ファクシミリ装置１と交換機３、及び、受信側ファクシミリ装置２と交換機３は、電話回線４により接続され、送信側ファクシミリ装置１から符号化された画像データが、受信側ファクシミリ装置２に受信される。そして、受信側ファクシミリ装置２において符号化データが復号化されることにより、画像データが送信側ファクシミリ装置１から受信側ファクシミリ装置２へ送信される。
【００１７】
本発明に係るファクシミリ装置は、図２に示すように、通信手段１１と、電話番号記憶手段１２と、電話番号消去手段１３と、電話番号照合手段１４と、着呼応答手段１５と、受信モード設定手段１６と、読取手段１７と、画像データ記憶手段１８と、印字手段１９と、表示手段２０と、操作手段２１と、記憶手段２２と、制御手段２３と、電話部２４とを有する。
【００１８】
通信手段１１は、送信側ファクシミリ装置１から送信される電話番号や画像データなどを受信し、また、受信側ファクシミリ装置２からデジタル識別信号などを送信側ファクシミリ装置１に送信する。
電話番号記憶手段１２は、受信側ファクシミリ装置２に送信側ファクシミリ装置１から電話番号の受信があったとき、その電話番号を記憶する。
電話番号消去手段１３は、電話番号記憶手段１２に記憶した電話番号を消去する。
【００１９】
電話番号照合手段１４は、電話番号記憶手段１２に記憶された電話番号と送信側ファクシミリ装置１から受信した電話番号が一致するか判断する。
着呼応答手段１５は、電話番号照合手段１４により一致する電話番号が存在すると判断する場合には、交換機３に電話の応答をするための信号を送信する。なお、一致する電話番号が存在しないと判断する場合には、交換機３に電話の応答をするための信号は送信されない。したがって、受信側ファクシミリ装置２は着呼しない。
受信モード設定手段１６は、ファクシミリ装置の手動受信モードと自動受信モードとを切り替える。手動受信モードとは、送信側ファクシミリ装置１からの呼出ベルの発呼により、受信側ファクシミリ装置２のユーザが、受信側ファクシミリ装置２を操作して、送信側ファクシミリ装置１から送信される画像データを受信するモードをいう。自動受信モードとは、受信側ファクシミリ装置２のユーザが受信側ファクシミリ装置２を操作せずに、自動的に送信側ファクシミリ装置１から送信される画像データを受信するモードをいう。
【００２０】
読取手段１７は、受信した符号化データを復号化するために符号化データを読取る。
画像データ記憶手段１８は、受信した符号化データを復号化し、画像化したデータを記憶する。
印字手段１９は、画像データ記憶手段１８に記憶された画像データを印字する。
表示手段２０は、ファクシミリ装置間のデータ送受信をユーザに視覚的、聴覚的に認識させる。
操作手段２１は、ユーザがファクシミリ装置を操作する手段である。例えば、手動受信モードの場合に送信側ファクシミリ装置１から受信する画像データを受信するための操作などを行う。
【００２１】
記憶手段２２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などで構成することができ、ファクシミリ装置の有する各種機能を実行するためのプログラムやデータを記憶する。
制御手段２３は、例えば、ＣＰＵ（Ｃｅｎｔｏｒａｌ  Ｐｒｏｃｅｓｓｉｎｇ  Ｕｎｉｔ）などで構成することができ、記憶手段２２に記憶されているプログラムを読込んで実行することにより、ファクシミリ装置の各構成部に指令を送り、又は自ら作動して、ファクシミリ装置の有する各種機能を実行、制御する。
電話部２４は、一つの電話回線４にファクシミリ装置と電話機を併設した場合に電話機として機能させる部分である。
【００２２】
次に、本発明に係るファクシミリ装置の動作手順を図３〜図５にもとづいて説明する。
図３は、一回目に、送信側ファクシミリ装置が受信側ファクシミリ装置の電話番号を交換機に送信した場合の、送信側ファクシミリ装置と交換機と受信側ファクシミリ装置の動作手順図であり、図４と図５は、二回目以降に、送信側ファクシミリ装置が受信側ファクシミリ装置の電話番号を交換機に送信した場合であって、図４は、一致する電話番号があるときの送信側ファクシミリ装置と交換機と受信側ファクシミリ装置の動作手順図であり、図５は、一致する電話番号がないときの送信側ファクシミリ装置と交換機と受信側ファクシミリ装置の動作手順である。
【００２３】
まず、一回目に送信側ファクシミリ装置１が受信側ファクシミリ装置２の電話番号を交換機に送信した場合について説明する。
受信側ファクシミリ装置２の受信モードは、図３に示すように、手動受信モードが設定されている（ステップ１１）。したがって、通常、画像データを受信したときには、受信側ファクシミリ装置２のユーザが受信側ファクシミリ装置２を操作しなければ、画像データを受信することはできない。
【００２４】
送信側ファクシミリ装置１から受信側ファクシミリ装置２に画像データを送信するため、送信側ファクシミリ装置１から受信側ファクシミリ装置２の電話番号が交換機３に送信されると（ステップ１２）、送信側ファクシミリ装置１の電話番号は、電話通信会社の提供するナンバー・ディスプレイ機能を利用して、自動的に受信側ファクシミリ２に受信される（ステップ１３、１４）。
なお、受信側ファクシミリ装置２は手動設定モードが設定されているので、送信側ファクシミリ装置１から画像データの送信があることを受信側ファクシミリ装置２のユーザに知らせるため、通常、受信側ファクシミリ装置２の呼出ベルが発呼される（ステップ１５）。
【００２５】
受信側ファクシミリ装置２のユーザが、呼出ベルを認識して受信側ファクシミリ装置２を操作すれば、送信される画像データは、受信側ファクシミリ装置２で受信することができるが、ユーザが不在などの場合には、受信側ファクシミリ装置２は操作されず、画像データを受信できない。
受信側ファクシミリ装置２のユーザが画像データの受信操作をしない場合には（ステップ１６）、電話番号記憶手段１２に送信側ファクシミリ装置１の電話番号を記憶する（ステップ１７）。
【００２６】
なお、電話番号の記憶処理（ステップ１７）を実行する前に、次の処理を実行することができる。
例えば、その電話番号の受信が、画像データの受信後または出力後において、最初の受信か否か判断する。判断の結果、最初の受信である場合には、その電話番号を記憶する。この場合、その記憶した電話番号は一回目に受信した電話番号となる。一方、最初の受信でない場合は、電話番号記憶手段１２に既に記憶されているか否かの判断を行う（後述する図４のステップ３７）。
【００２７】
受信側ファクシミリ装置２は手動受信モードが設定され、さらに受信側ファクシミリ装置２のユーザは受信側ファクシミリ装置２を操作しない場合には、受信側ファクシミリ装置２は着呼しない。したがって、受信側ファクシミリ装置２は、電話番号記憶手段１２により送信側ファクシミリ装置１の電話番号を記憶するが、画像データを受信することはない。
【００２８】
次に、送信側ファクシミリ装置１が、受信側ファクシミリ装置２の電話番号を交換機３にリダイヤルした場合とリダイヤルしない場合の動作手順を図４、図５にもとづき説明する。
なお、図４に示す動作手順は、上述した図３の動作手順と同一部分を有するため、同一部分の詳細な説明は省略する。
【００２９】
まず、送信側ファクシミリ装置１が受信側ファクシミリ装置２へリダイヤルした場合の動作手順を説明する。
受信側ファクシミリ装置２は、手動受信モードが設定され（ステップ３１）、送信側ファクシミリ装置１から交換機３へ受信側ファクシミリ装置２の電話番号が送信されると（ステップ３２）、送信側ファクシミリ装置１から受信側ファクシミリ装置２へ送信側ファクシミリ装置１の電話番号が電話通信会社の提供するナンバー・ディスプレイ機能を利用して、自動的に送信される（ステップ３３、３４）。
【００３０】
送信側ファクシミリ装置１の電話番号が受信側ファクシミリ装置２へ受信されると、呼出ベルが発呼するが（ステップ３５）、受信側ファクシミリ装置２のユーザは画像データの受信を受けるための操作をしない場合（ステップ３６）、受信側ファクシミリ装置２は、電話番号記憶手段１２に送信側ファクシミリ装置１の電話番号が記録されているか、電話番号照合手段１４により判断する（ステップ３７）。
【００３１】
受信側ファクシミリ装置２が、一回目に送信側ファクシミリ装置１からの一回目の電話番号を既に受信している場合には、送信側ファクシミリ装置１の電話番号は、受信側ファクシミリ装置２の電話番号記憶手段１２に記憶されている。したがって、電話番号記憶手段１２に送信側ファクシミリ装置１の電話番号が記憶され、電話番号照合手段１４により電話番号が一致したものと判断された場合には（ステップ３８）、着呼応答手段１５により、受信側ファクシミリ装置２から交換機３へ電話の応答信号を送信する（ステップ３９）。
【００３２】
交換機３は、受信側ファクシミリ装置２から応答信号を受信すると、送信側ファクシミリ装置１と受信側ファクシミリ装置２の電話回線４が接続され（ステップ４０）、送信側ファクシミリ装置１から受信側ファクシミリ装置２へ画像データが送信される（ステップ４１、４２）。
受信された画像データは、受信側ファクシミリ装置２の設定に応じ、受信直後に、又は、受信して所定時間経過後に印字して出力することができる。さらに、いったん画像データは、受信側ファクシミリ装置２に記憶しておき、ユーザがファクシミリ装置を操作することにより出力することもできる。
【００３３】
送信側ファクシミリ装置１から画像データが受信側ファクシミリ装置２へされると、送信側ファクシミリ装置１から電話回線４の切断信号が交換機３に送信され（ステップ４３）、交換機３は、送信側ファクシミリ装置１と受信側ファクシミリ装置２の電話回線４が切断される（ステップ４４）。
受信側ファクシミリ装置２が送信側ファクシミリ装置１から画像データを受信した場合には、電話番号記憶手段１２に記憶していた送信側ファクシミリ装置１の電話番号を消去する（ステップ４５）。
なお、記憶していた電話番号は、画像データを受信した後、ユーザが手動で消去してもよいし、また、一回目の電話番号を記憶してから予定時間経過後に自動で消去してもよい。また、記憶した電話番号を消去せずに、次回、同一の送信側ファクシミリ装置１から電話番号の受信を受けたとき、画像データをすぐに受信できるように、電話番号を記憶しておいてもよい。電話番号記憶手段１２に記憶した電話番号を消去しない場合には、さらに、受信した電話番号を記憶する必要がないため、図３に示す操作手順を省略し、図４に示す手順により、画像データを受信することができる。
【００３４】
次に、送信側ファクシミリ装置１が受信側ファクシミリ装置２へリダイヤルしなかった場合の動作手順を図５にもとづいて説明する。
送信側ファクシミリ装置１が受信側ファクシミリ装置２へリダイヤルしなかった場合であって、電話番号消去手段１４により記憶した電話番号が消去されたり、受信側ファクシミリ装置２のユーザにより記憶した電話番号が消去されたりしたときには、再度、同じ送信側ファクシミリ装置１から電話番号を受信しても、電話番号記憶手段１２に一致する電話番号は存在しない。
したがって、電話番号照合手段１４により一致する電話番号が存在するか判断し（ステップ３７）、一致する電話番号がない場合には（ステップ４６）、電話番号記憶手段１２により、あらためて受信した電話番号を記憶する（ステップ４７）。
【００３５】
以上説明したように、本発明のファクシミリ装置によれば、受信側ファクシミリ装置２の受信モードが手動受信モードに設定されている場合であって、受信側ファクシミリ装置２のユーザが受信側ファクシミリ装置２を操作しなくても、送信側ファクシミリ装置１から画像データを受信することができる。
また、受信側ファクシミリ装置２に自動的に画像データを受信するため、ユーザが事前に電話番号を受信側ファクシミリ装置２に登録する煩雑さからも解消される。
さらに、画像データを受信した後は、電話番号の記憶を消去できるため、容量の大きいメモリを必要としない。これにより低コストで本発明に係るファクシミリ装置を生産することが可能となる。
【００３６】
［第二実施形態］
本実施形態に係るファクシミリ装置は、上述した第一実施形態の変形実施形態であり、経過時間判断手段を加えたものである。
したがって、その他の構成部分は、第一実施形態と同様となっており、同様の構成部分については、図中で第一実施形態と同一符号を付し、詳細な説明は省略する。
【００３７】
図６は、本発明に係るファクシミリ装置の概略構成を示すブロック図である。
第二実施形態に係るファクシミリ装置は、第一実施形態に係るファクシミリ装置を構成する手段に経過時間判断手段２５を加えた構成としてある。
経過時間判断手段２５は、電話番号記憶手段１２に電話番号を記憶した時点から再び同じ電話番号を受信するまでの時点までの時間を測定する手段である。
着呼応答手段１５は、経過時間判断手段２５により所定の時間以内に電話番号を受信した場合に交換機３へ電話の応答をするための信号を送信する手段である。
なお、その他の手段については、第一実施形態のファクシミリ装置を構成する手段と同一である。
【００３８】
次に、本発明に係るファクシミリ装置の動作手順を図７にもとづいて説明する。
図７は、二回目以降に、送信側ファクシミリ装置が受信側ファクシミリ装置の電話番号を交換機に送信した場合の、送信側ファクシミリ装置と交換機と受信側ファクシミリ装置の動作手順図である。
なお、一回目に、送信側ファクシミリ装置１が受信側ファクシミリ装置２の電話番号を交換機３に送信した場合の、送信側ファクシミリ装置１と交換機３と受信側ファクシミリ装置２の動作手順は、図３と同一である。
【００３９】
受信側ファクシミリ装置２は手動受信モードが設定され、送信側ファクシミリ装置１が受信側ファクシミリ装置２に一回目に画像データを送信する場合であって、受信側ファクシミリ装置２のユーザが受信側ファクシミリ装置２を操作しないときには、図３に示す第一実施形態の動作手順と同様に、送信側ファクシミリ装置１の電話番号が送信側ファクシミリ装置の電話番号記憶手段１２に記憶される。送信側ファクシミリ装置１と受信側ファクシミリ装置２の電話回線４は接続されないため、送信側ファクシミリ装置１から受信側ファクシミリ装置２へ画像データは送信されない。
【００４０】
次に、再度、送信側ファクシミリ装置から受信側ファクシミリ装置２へ送信する場合について、図７にもとづいて説明する。なお、図７の動作手順のうち図４と同一の動作手順について、詳細な説明は省略する。
【００４１】
受信側ファクシミリ装置２は、手動受信モードが設定され（ステップ５１）、送信側ファクシミリ装置１から交換機３へ受信側ファクシミリ装置２の電話番号が送信（リダイヤルを含む）されると（ステップ５２）、送信側ファクシミリ装置１から受信側ファクシミリ装置２へ送信側ファクシミリ装置１の電話番号が電話通信会社の提供するナンバー・ディスプレイ機能を利用して、送信される（ステップ５３、５４）。
受信側ファクシミリ装置２の呼出ベルは発呼するが（ステップ５５）、ユーザは受信操作をしないため（ステップ５６）、電話番号記憶手段１２に送信側ファクシミリ装置１の電話番号が記憶されているか、電話番号照合手段１４により判断する（ステップ５７）。
【００４２】
電話番号記憶手段１２に記憶されている電話番号に、受信した電話番号が存在する場合（ステップ５８）には、一回目に送信側ファクシミリ装置１の電話番号を受信し、電話番号記憶手段１２に電話番号を記憶した時から、送信側ファクシミリ装置の電話番号の再受信した時までの時間が所定時間以内であるか否か、経過時間判断手段２５により判断する（ステップ５９）。
所定時間内の受信であると判断した場合には（ステップ６０）、経過時間判断手段２５により、交換機３へ応答信号が送信される（ステップ６１）。
【００４３】
例えば、上記所定時間を五分間と設定した場合、一回目に送信側ファクシミリ装置１から受信側ファクシミリ装置２へ電話番号が送信され、受信側ファクシミリ装置２の電話番号記憶手段１２に電話番号が記憶された時から、五分以内に再度、同じ送信側ファクシミリ装置１から電話番号を受信したときには、受信側ファクシミリ装置２から交換機３に応答信号が送信される。そして、交換機３により電話回線４の接続が行われ、送信側ファクシミリ装置１から受信側ファクシミリ装置２へ画像データが送信される。
一方、五分間以内に再度、同じ送信側ファクシミリ装置１から電話番号を受信しなかったときには、受信側ファクシミリ装置２から交換機３に応答信号が送信されず、交換機３により電話回線４の接続も行われない。したがって、送信側ファクシミリ装置１から受信側ファクシミリ装置２へ画像データも送信されない。
【００４４】
画像データが受信側ファクシミリ装置２に送信されたときには、送信側ファクシミリ装置１は、電話回線４の切断信号を交換機３に送信し（ステップ６５）、交換機３は、電話回線４を切断する（ステップ６６）。
受信側ファクシミリ装置２が送信側ファクシミリ装置１から画像データを受信した場合には、電話番号記憶手段１２に記憶していた送信側ファクシミリ装置１の電話番号を消去する（ステップ６７）。
【００４５】
一方、図８に示すように、経過時間判断手段２５により所定時間以内の再受信を判断し（ステップ５９）、所定時間以内の再受信でない場合には（ステップ６８）、受信側ファクシミリ装置２は電話番号の応答信号を交換機３に送信せずに、交換機３は電話回線４を接続させない。そして、電話番号記憶手段１２に記憶されている電話番号を消去して（ステップ６９）、動作手順を終了する。
【００４６】
記憶していた電話番号は、画像データを受信した場合であっても、画像データを受信しない場合であっても、ユーザが手動で消去してもよいし、また、一回目の電話番号を記憶してから所定時間経過後に自動で消去してもよいこと、さらに、記憶した電話番号を消去せずに、電話番号を記憶しておいてもよいことは、第一実施形態の場合と同様である。
なお、一致する電話番号がない場合には、第一実施形態の場合と同様に、受信した電話番号を電話番号記憶手段１２に記憶し、動作手順を終了する。
【００４７】
以上説明したように、本発明のファクシミリ装置によれば、受信側ファクシミリ装置２が手動受信モードに設定されている場合であって、受信側ファクシミリ装置２のユーザが受信側ファクシミリ装置２を操作しなくても、送信側ファクシミリ装置１から画像データを自動的に受信することができる。
また、その画像データの受信は、一回目に本発明のファクシミ装置が送信側ファクシミリ装置の電話番号を記憶してから所定時間以内の場合だけに限ることができる。
一般的に送信側ファクシミリ装置１から受信側ファクシミリ装置２へ画像データを送信できないときには、送信側ファクシミリ装置１は、所定時間間隔を空けて（例えば、三分間）、再度、受信側ファクシミリ装置２に自動的にリダイヤルする。したがって、送信側ファクシミリ装置１がリダイヤルした場合に限って、本発明のファクシミリ装置で画像データを受信することができるようになる。
【００４８】
以上、本発明のファクシミリ装置について、好ましい実施形態を示して説明したが、本発明に係るファクシミリ装置は、上述した実施形態にのみ限定されるものではなく、本発明の範囲で種々の変更実施が可能であることは言うまでもない。
例えば、送信側ファクシミリ装置１が一回目に受信側ファクシミリ装置２に電話番号を送信する場合とは、初めて受信側ファクシミリ装置２に電話番号を送信する場合のみならず、受信側ファクシミリ装置２に送信側ファクシミリ装置の電話番号が記憶されてない場合、すなわち、ユーザが手動に消去した場合、所定時間経過後、自動的に消去された場合、画像データを受信して自動的に消去された場合には、過去に受信側ファクシミリ装置２に電話番号を送信したことがあっても、一回目に送信する場合である。したがって、これらの場合、受信側ファクシミリ装置２が送信側ファクシミリ装置１の電話番号を受信した場合には、電話番号を記憶する。
【図面の簡単な説明】
【００４９】
【図１】送信側ファクシミリ装置と交換機と受信側ファクシミリ装置の接続状態を示すブロック図である。
【図２】第一実施形態に係るファクシミリ装置の概略構成を示すブロック図である。
【図３】一回目に送信側ファクシミリ装置が受信側ファクシミリ装置の電話番号を交換機に送信した場合の送信側ファクシミリ装置と交換機と受信側ファクシミリ装置の動作手順図である。
【図４】二回目以降に送信側ファクシミリ装置が受信側ファクシミリ装置の電話番号を交換機に送信した場合であって、受信側ファクシミリ装置に一致する電話番号があるときの送信側ファクシミリ装置と交換機と受信側ファクシミリ装置の動作手順図である。
【図５】二回目以降に送信側ファクシミリ装置が受信側ファクシミリ装置の電話番号を交換機に送信した場合であって、受信側ファクシミリ装置に一致する電話番号がないときの送信側ファクシミリ装置と交換機と受信側ファクシミリ装置の動作手順図である。
【図６】第二実施形態に係るファクシミリ装置の概略構成を示すブロック図である。
【図７】二回目以降に送信側ファクシミリ装置が受信側ファクシミリ装置の電話番号を交換機に送信した場合であって、所定時間以内に再受信したときの送信側ファクシミリ装置と交換機と受信側ファクシミリ装置の動作手順図である。
【図８】二回目以降に送信側ファクシミリ装置が受信側ファクシミリ装置の電話番号を交換機に送信した場合であって、所定時間以内に再受信しないときの送信側ファクシミリ装置と交換機と受信側ファクシミリ装置の動作手順図である。
【符号の説明】
【００５０】
１  送信側ファクシミリ装置
２  受信側ファクシミリ装置
３  交換機
４  電話回線
１１  通信手段
１２  電話番号記憶手段
１３  電話番号消去手段
１４  電話番号照合手段
１５  着呼応答手段
２５  経過時間判断手段
【図１】
2006121236.tif 000003
【図２】
2006121236.tif 000004
【図３】
2006121236.tif 000005
【図４】
2006121236.tif 000006
【図５】
2006121236.tif 000007
【図６】
2006121236.tif 000008
【図７】
2006121236.tif 000009
【図８】
2006121236.tif 000010